(57)【要約】【課題】部品点数を増加させることなく、回路の異常検出を速やかに行えるようにする。【解決手段】主コンデンサ１０７と、該主コンデンサに充電を行うフライバック式ＤＣ／ＤＣコンバータ１０４，１０５，１０３ａとを有し、前記ＤＣ／ＤＣコンバータの動作中の二次巻線に流れる二次電流の状態を検出する二次電流検出手段１０３ａ，１２２，１２１と、該二次電流検出手段にて検出される二次電流の検出時間が所定時間以上であるか否かの判定を行う判定手段１０３ｆとを有し、前記判定手段の判定結果から、コンデンサ充電装置の充電動作を制御（１０３ａ）する。【選択図】　　　　図１
2004071428.tif 000002
【特許請求の範囲】
【請求項１】
主コンデンサと、該主コンデンサに充電を行うフライバック式ＤＣ／ＤＣコンバータとを有するコンデンサ充電装置において、
前記ＤＣ／ＤＣコンバータの動作中の二次巻線に流れる二次電流の状態を検出する二次電流検出手段と、該二次電流検出手段にて検出される二次電流の検出時間が所定時間以上であるか否かの判定を行う判定手段とを有し、
前記判定手段の判定結果から、コンデンサ充電装置の充電動作を制御することを特徴とするコンデンサ充電装置。
【請求項２】
前記判定手段にて前記所定時間未満であると判定された場合に、前記充電動作を停止することを特徴とする請求項１に記載のコンデンサ充電装置。
【請求項３】
前記二次電流検出手段は、二次電流の停止、或いは、二次電流が所定電流に低下したことを検出するものであることを特徴とする請求項１又は２に記載のコンデンサ充電装置。
【請求項４】
前記判定手段の前記所定時間は、充電完了時の二次電流放出時間より短い時間であることを特徴とする請求項１〜３の何れかに記載のコンデンサ充電装置。
【請求項５】
主コンデンサと、該主コンデンサに充電を行うフライバック式ＤＣ／ＤＣコンバータとを有するコンデンサ充電装置において、
前記ＤＣ／ＤＣコンバータの動作中の二次巻線に流れる二次電流の状態を検出する二次電流検出手段と、該二次電流検出手段にて検出される二次電流の検出時間が所定時間以上であるか否かの判定を行う判定手段とを有し、
前記判定手段にて前記所定時間未満であることが判定された場合、コンデンサ充電装置の回路に異常があると判定することを特徴とするコンデンサ充電装置。
【請求項６】
請求項１〜５の何れかに記載のコンデンサ充電装置を有することを特徴とするカメラのストロボ充電装置。
【発明の詳細な説明】
【０００１】
【発明の属する技術分野】
本発明は、フライバック式ＤＣ／ＤＣコンバータを有するコンデンサ充電装置及びカメラのストロボ充電装置の改良に関するものである。
【０００２】
【従来の技術】
従来、ストロボ装置に具備される回路の異常検出を行う構成として、特開平０８−００８０８９号公報に開示されるように、昇圧動作開始時にスタートするタイマを使い、一定の時間後の充電電圧を記憶し、その後バッテリーチェックを行い、十分バッテリーがあるのに充電レベルが低いときには、充電昇圧動作を停止させるとともに警告を行うものがあった。
【０００３】
【発明が解決しようとする課題】
しかしながら上記従来例では、フォワード方式のＤＣ／ＤＣコンバータの回路の異常を検出するためのものであって、回路の異常を検出する為に上記のように一定の時間を待つ必要があった。そのため、上記一定の時間分だけ回路の異常を検出するのが遅れてしまうといった問題点があった。
【０００４】
（発明の目的）
本発明の目的は、部品点数を増加させることなく、回路の異常検出を速やかに行ったり、正常に行われない充電動作を直ちに停止することのできるコンデンサ充電装置及びカメラのストロボ充電装置を提供しようとするものである。
【０００５】
【課題を解決するための手段】
上記目的を達成するために、請求項１〜４に記載の発明は、主コンデンサと、該主コンデンサに充電を行うフライバック式ＤＣ／ＤＣコンバータとを有するコンデンサ充電装置において、前記ＤＣ／ＤＣコンバータの動作中の二次巻線に流れる二次電流の状態を検出する二次電流検出手段と、該二次電流検出手段にて検出される二次電流の検出時間が所定時間以上であるか否かの判定を行う判定手段とを有し、前記判定手段の判定結果から、コンデンサ充電装置の充電動作を制御するコンデンサ充電装置とするものである。
【０００６】
上記構成によれば、一次電流駆動手段によりトランスの一次巻線の電流駆動およびその駆動停止を行った後の、前記駆動停止から二次電流が所定電流に低下もしくは二次電流の停止までの時間が所定時間以上であるかの判定を行う。そして、この判定結果を基に、充電動作を継続及び停止の制御をするようにしている。
【０００７】
同じく上記目的を達成するために、請求項５に記載の発明は、主コンデンサと、該主コンデンサに充電を行うフライバック式ＤＣ／ＤＣコンバータとを有するコンデンサ充電装置において、前記ＤＣ／ＤＣコンバータの動作中の二次巻線に流れる二次電流の状態を検出する二次電流検出手段と、該二次電流検出手段にて検出される二次電流の検出時間が所定時間以上であるか否かの判定を行う判定手段とを有し、前記判定手段にて前記所定時間未満であることが判定された場合、コンデンサ充電装置の回路に異常があると判定するコンデンサ充電装置とするものである。
【０００８】
同じく上記目的を達成するために、請求項６に記載の発明は、請求項１〜５の何れかに記載のコンデンサ充電装置を有するカメラのストロボ充電装置とするものである。
【０００９】
【発明の実施の形態】
以下、本発明を図示の実施の形態に基づいて詳細に説明する。
【００１０】
図１は本発明の実施の一形態に係るフライバック式ＤＣ／ＤＣコンバータを具備するストロボ装置を具備するカメラの主要部分の回路構成を示すブロック図である。
【００１１】
同図において、１０１は電源であるところの電池、１０１ａは電池内部抵抗である。１０２はコンデンサであり、前記電池１０１と並列に接続されている。１０３はＩＣより成る制御回路であり、カメラの測光、測距、レンズ駆動、フィルム給送等のカメラシーケンス及びストロボ装置の制御を行う。１０３ｃはＤ／Ａコンバータであり、マイコン１０３ａの設定信号により、任意に電圧を出力する。１０３ｂはＡ／Ｄコンバータであり、入力された電圧をデジタル化する。１０３ｄはコンパレータであり、後述のトランス１０４の一次巻線の電流が設定電流に至ったか否かを抵抗１２３にて発生する電圧を基に検出する。１０３ｅは抵抗であり、コンパレータ１０３ｄの出力をプルアップしている。１０３ｆは二次電流の放出時間が所定時間あるか否かの判定を行う二次電流放出時間判定ブロック、１０３ｇは充電電圧が充電完了電圧に達したか否かを検出するコンパレータである。１０３ｈは抵抗であり、コンパレータ１０３ｇの出力をプルアップしている。１０３ｉはＡＮＤゲートであり、後述のＦＥＴ１０５のゲート信号を出力する。
【００１２】
１０４はトランスであり、電池１０１の正極→一次巻線→ＦＥＴ１０５→電池１０１の負極のループで電流を流すことにより、エネルギーをコアに蓄積してそのエネルギーで逆起電力を発生させる。１０５はＦＥＴであり、トランス１０４の一次巻線の電流を駆動する。１０７は主コンデンサであり、電荷を蓄積する。１０６は高圧整流ダイオードであり、アノードはトランス１０４の二次巻線の巻き終わりに接続され、カソードは主コンデンサ１０７の陽極に接続されている。１１９は抵抗であり、後述のトランジスタ１２０のベース・エミッタ間に接続されている。１２０はトランジスタであり、ベースが主コンデンサ１０７の陰極に、エミッタがトランス１０４の二次巻線の巻き始めに、それぞれ接続され、トランス１０４の二次巻線より発生した逆起電力を主コンデンサ１０７に蓄積する電荷の電流ループを、高圧整流ダイオード１０６を含めた構成で形成する。
【００１３】
１２１は抵抗であり、片側がトランジスタ１２０のコレクタに、もう片側が制御回路１０３に、それぞれ接続されている。１２２は抵抗であり、抵抗１２１が接続される制御回路１０３の入力を電源Ｖｃｃにプルアップしている。１０８はトリガー回路である。１０９は放電管であり、トリガー回路１０８よりトリガー電圧を受け、主コンデン１０７に蓄積された電荷により発光する。１１０は充電電圧分圧回路であり、主コンデサ１０７に蓄積された電圧を分圧し、充電電圧を制御回路１０３内のコンパレータ１０３ｇにより検出する。
【００１４】
１１１は測光回路であり、被写体輝度を検出する。１１２は測距回路であり、被写体までの距離を検出する。１１３はレンズ駆動装置であり、測距回路１１２からの検出結果をもとに撮影レンズの駆動を行い、フィルム面に被写体ピントを合わせる。１１４はシャッタ駆動装置であり、測光回路１１１からの検出結果をもとに露出制御を行う。１１５はフィルム駆動装置であり、フィルムのオートローディング、巻き上げ、巻戻しを行う。１１６はカメラを撮影準備状態にするメインスイッチ（ＭＡＩＮＳＷ）、１１７（ＳＷ１）はスイッチであり、シャッタ釦の第１ストロークでカメラ内の電気回路を起動させ、測光及び測距等の検出を行わせる。１１８（ＳＷ２）はスイッチであり、シャッタ釦の第２ストロークでオンし、前記スイッチＳＷ１のオン以後の撮影シーケンスの起動信号を発生する。
【００１５】
また、ａはＦＥＴ１０５のゲート入力信号（ＦＥＴＧＡＴＥ）、ｂはトランス１０４の一次巻線に流れる一次電流、ｃはトランス１０４の二次巻線に流れる二次電流である。ｄは、抵抗１２１と抵抗１２２が接続され且つ制御回路１０３へ接続されている二次電流検出信号である。
【００１６】
図２は昇圧動作時のタイミングチャートであり、詳しくは、図２（ａ）はメインコンデンサ１０９の充電電圧が５０Ｖ程度、図２（ｂ）はメインコンデンサ１０９の充電電圧が１５０Ｖ程度、図２（ｃ）はメインコンデンサ１０９の充電電圧が３２０Ｖ程度の時の上記の各電流及び信号ａ〜ｄである。
【００１７】
次に、昇圧動作について、図２（ａ）　のメインコンデンサ１０９の充電電圧が５０Ｖ程度の時を例にして、以下に説明する。
【００１８】
制御回路１０３から接続端子を介してＦＥＴ１０５のゲートに所定の発振信号（ＦＥＴＧＡＴＥａの▲１▼のタイミング）を与える。この為、ＦＥＴ１０５の制御電極にハイレベルの信号が与えられることで、電池陽極、トランス１０４の一次巻線、ＦＥＴ１０５のドレイン・ソース、抵抗１２３、電池負極のループで電流が流れる。この為、トランス１０４の二次巻線には誘導起電力が発生するが、この電流の極性は高圧整流用ダイオード１０６によりブロックされる極性となるため、該トランス１０４からは励起電流が流れず、エネルギーがトランス１０４内コアに蓄積される。このエネルギー蓄積（一次電流駆動）は、抵抗１２３に流れる電流により発生する電圧が、Ｄ／Ａコンバータ１０３ｃで設定した電圧に達する事によりコンパレータ１０３ｄの出力が反転する電流、所謂、所定電流に達する　（一次電流ｂの▲２▼のタイミング）　まで行われる。
【００１９】
ここで、所定電流まで電流駆動を行ったら、ＦＥＴ１０５のゲートをローレベルにしてＦＥＴ１０５をオフ（ＦＥＴＧＡＴＥａの▲２▼のタイミング）　にして電流を遮断して非導通とする。これにより、トランス１０４の二次巻線には逆起電力が発生する。この逆起電力は二次電流（二次電流ｃの▲２▼〜▲３▼のタイミング）として、整流ダイオード１０６、主コンデンサ１０７、抵抗１１９及びトランジスタ１２０のループで流れ、主コンデンサ１０７に電荷が蓄積される。トランス１０４内のエネルギーが放出され、二次電流ｃが分流されてローレベルとなっていた二次電流検出信号ｄが、上記二次電流ｃが停止した時点（二次電流検出信号ｄの▲３▼のタイミング）　で、ローレベルからハイレベルに反転する。この二次電流検出信号ｄがローレベルからハイレベルに反転したことを受けて、制御回路１０３からＦＥＴ１０５のゲートに再びハイレベル信号が出力され、同様に再びＦＥＴ１０５を導通（ＦＥＴＧＡＴＥａの▲３▼のタイミング）　してトランス１０４にエネルギーの蓄積が行われ、また、ローレベル信号によりＦＥＴ１０５は非導通となり、トランス１０４の蓄積エネルギーが放出され、電荷が主コンデンサ１０７に充電される。
【００２０】
この動作を繰り返し、図２（ａ）　→（ｂ）→（ｃ）に示すように、二次電流ｃの放出時間（二次電流ｃの▲２▼〜▲３▼のタイミング）を短く変化させながら、主コンデンサ１０７の電圧を上昇させていく。この充電回路は、一般的にフライバック方式と呼ばれている。
【００２１】
以下、図１の回路構成において、図３〜図６をもとに、その動作について説明する。
【００２２】
まず、メインスイッチ１１６のオン時のシーケンスについて、図３のフローチャートに従って説明する。
【００２３】
ステップ＃１０１にて、メインスイッチ１１６がオンしたか否かの判定を行い、該メインスイッチ１１６がオンしていればステップ＃１０２へ進み、電池電圧がカメラの動作可能電圧であるか否かを検出するためのバッテリーチェック（ＢＣ）を行い、その結果をマイコン１０３ａ内のＲＡＭに記憶する。そして、次のステップ＃１０３にて、上記ステップ＃１０２にて行ったバッテリーチェックの結果がカメラ動作可能な電圧であるか否かの判定を行い、動作可能電圧（ＢＣＯＫ）であったらステップ＃１０４へ進むが、動作が不可能な電圧であったらステップ＃１０１へ戻る。
【００２４】
電池電圧がカメラの動作可能電圧であるとしてステップ＃１０４へ進むと、被写体輝度検出の為に測光回路１１１による測光を行い、その結果をマイコン内１０３ａ内のＲＡＭに記憶する。そして、次のステップ＃１０５にて、上記ステップ＃１０４にて得られた測光結果から、撮影に際してストロボ発光を必要とするか否かを判定する。この結果、ストロボ発光を必要としない輝度で、ストロボ予備充電を必要としないことを判定すると、このシーケンスを終了する。一方、上記ステップ＃１０５にてストロボ発光が必要な輝度であり、ストロボ予備充電を必要とする場合はステップ＃１０６へ進み、フラッシュモードとしてストロボ充電を行う（この詳細は図４を用いて以下に説明する）。そして、このシーケンスを終了する。
【００２５】
次に、図３のステップ＃１０６でのフラッシュモード時の動作について、図４のフローチャートに従って説明する。
【００２６】
まず、ステップ＃３０１にて、充電タイマーをスタートする。そして、次のステップ＃３０２にて、前述した回路動作によりＦＥＴ１０５のゲートに駆動信号を制御回路１０３より出力し、充電を開始する。続くステップ＃３０３では、一次電流ｂの駆動停止後から発生する二次電流ｃが所定時間経過後も（所定時間以上）検出されている（二次電流ｃが流れている状態）かの判定を行う。この二次電流の放出時間は、前述した図２（ａ）〜（ｃ）の▲２▼〜▲３▼のタイミングの時間であり、二次電流放出時間判定ブロック１０３ｆにて二次電流が所定時間経過後も検出されているか否かの判定を行う。この判定は、ＦＥＴ１０５の駆動信号（ＦＥＴＧＡＴＥａ）のオフ（立下り）を受けてカウントを開始し所定時間経過後に、二次電流ｃの消失（二次電流検出信号ｄがハイレベルになっている状態）状態に有るか否かの検出にて行う。この二次電流の放出時間が所定時間あるか否かの判定は、回路の異常を検出するために行うものである。
【００２７】
ここで、例えばトランス１０４の二次巻線、整流ダイオード１０６、主コンデンサ１０７、トランジスタ１２０のループで構成される放電ループがオープン状態になった場合（回路異常の場合）の回路動作を、図５のタイミングチャートを用いて説明する。
【００２８】
制御回路１０３から接続端子を介してＦＥＴ１０５のゲートに所定の発振信号（図５のＦＥＴＧＡＴＥａの▲１▼のタイミング）　を与える。この為、ＦＥＴ１０５の制御電極にハイレベルの信号が与えられることで、ドレイン・ソース、トランス１０４の一次巻線、電池負極のループで電流が流れる。この為、トランス１０４の二次巻線には誘導起電力が発生するが放電ループがオープンであるため、該トランス１０４からは励起電流が流れず、エネルギーがトランス１０４内コアに蓄積される。このエネルギー蓄積（一次電流駆動）は、一次巻線の電流が所定電流に達する　（一次電流ｂの▲２▼のタイミング）　まで行われる。
【００２９】
ここで所定電流まで電流駆動を行ったら、ＦＥＴ１０５のゲートをローレベルにしてＦＥＴ１０５をオフ（一次電流ｂの▲２▼のタイミング）にし、電流を遮断して非導通にするとともに、二次電流放出時間判定ブロック１０３ｆは所定時間の計時を開始する。そしてＦＥＴ１０５のオフとほぼ同時に、トランス１０４の二次巻線には逆起電力が発生する。この逆起電力は回路が正常であれば前述した通り、二次電流（図２（ａ）〜（ｃ）のｃの▲２▼〜▲３▼のタイミング）として、整流ダイオード１０６、主コンデンサ１０７、ダイオード１２０のループで電流が流れ、主コンデンサ１０７に電荷が蓄積される。
【００３０】
しかし、二次側の放電ループがオープン状態であった場合（図５の二次電流ｃの▲２▼のタイミング）、二次電流ｃが発生しない。よって、二次電流ｃの検出を行う抵抗１１９の両端には電圧が発生しない。また、二次電流検出信号ｄを発生させるトランジスタ１２０は当然オフ状態を維持するので、ＦＥＴ１０５のゲートをローレベルとして該ＦＥＴ１０５をオフ（図５のＦＥＴＧＡＴＥａの▲２▼のタイミング）にして電流を遮断して非導通にしても、二次電流検出信号ｄはローレベルに変化しない（図５の二次電流検出信号ｄの▲２▼のタイミング）で常にハイレベルの状態にある。よって、二次電流放出時間判定ブロック１０３ｆは所定時間経過した時には（所定時間未満）二次電流ｃの消失（二次電流検出信号ｄがハイレベルになっている状態）状態にあることを判定する。これにより、回路にトラブルがあると検出できる。
【００３１】
また、異なった回路トラブルの例として、トランス１０４の一次側巻線或いは、二次側巻線がショートした場合の回路動作を、図６のタイミングチャートにより説明する。
【００３２】
制御回路１０３から接続端子を介してＦＥＴ１０５のゲートに所定の発振信号（図６のＦＥＴＧＡＴＥａの▲１▼のタイミング）　を与える。この為、ＦＥＴ１０５の制御電極にハイレベルの信号が与えられることで、ドレイン・ソース、トランス１０４のショートされた一次巻線、電池負極のループで電流が流れる。そして、電流駆動は所定電流に達する　（図６の一次電流ｂの▲２▼のタイミング）　まで行われる。このとき、ショートされた一次巻線の電流は急速に所定電流に達する。ここで所定電流まで電流駆動を行ったら、ＦＥＴ１０５のゲートをローレベルとして該ＦＥＴ１０５をオフ（図６のＦＥＴＧＡＴＥａの▲２▼のタイミング）　にして電流を遮断して非導通とする。これにより、回路が正常であればトランス１０４の二次巻線には逆起電力が発生する。
【００３３】
しかし、一次巻線がショート状態であれば、トランス１０４にエネルギーが蓄積されない。よって、前述した二次放電ループオープン時と同様に、ＦＥＴ１０５のゲートをローレベルにして該ＦＥＴ１０５をオフ（図６のＦＥＴＧＡＴＥａの▲２▼のタイミング）にして電流を遮断して非導通にしても、前述の通り、二次電流ｃの検出を行う抵抗１１９の両端には電圧が発生しない。また、二次電流検出信号ｄを発生させるトランジスタ１２０は当然オフ状態を維持するので、二次電流検出信号ｄはローレベルに変化しない（図６の二次電流検出信号ｄの▲２▼のタイミング）で常にハイレベルの状態にある。よって、二次電流放出時間判定ブロック１０３ｆは所定時間経過した時には二次電流ｃの消失状態（二次電流検出信号ｄがハイレベルになっている状態）にあることを判定する。これにより、回路にトラブルがあると検出できる。
【００３４】
また、二次側巻線がショートした場合も、一次巻線のショート時と同様なタイミングチャートとなり、回路にトラブルがあると検出できる。
【００３５】
以上説明したように、正常な回路状態では二次電流ｃの放出が所定時間後も検出されるのに対して、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった、回路のトラブルが発生した場合、所定時間経過した時には二次電流検出信号ｄはハイレベル状態にあり、二次電流ｃが検出されない結果となる。
【００３６】
図４に戻り、次のステップ＃３０４では、上記ステップ＃３０３で二次電流放出時間判定ブロック１０３ｆにて行った、二次電流ｃが所定時間経過後も検出があるか否かの検出結果から正常充電であるか否かの判定を行う。前述した通り、一次電流駆動停止後から発生する二次電流が所定時間経過後に検出された場合、回路は正常である。よって、この場合はステップ＃３０４からステップ＃３０７へ進む。しかし、一次電流駆動停止後から発生する二次電流が所定時間経過後に検出されない場合は回路に異常がある。よって、この場合はステップ＃３０４からステップ＃３０５へ進み、充電を停止して、次のステップ＃３０６にて、回路の異常フラグを立て充電シーケンスを終了する。
【００３７】
このように、二次側の放電ループがオープン状態や、トランス１０４の一次側巻線、或いは、二次側巻線がショートした場合に、二次電流放出時間判定ブロック１０３ｆの判定結果により一次巻線への一発目の電流駆動時に回路の異常を検出可能であり、従来のように一定の時間を待つことなく、又特別な回路構成を付加することなく、充電開始から極めて早いタイミングで回路の異常を検出できる。
【００３８】
上記ステップ＃３０４にて回路が正常であるとしてステップ＃３０７へ進むと、ここでは制御回路１０３内のコンパレータ１０３ｇに充電電圧分圧回路１１０を介した電圧により充電電圧の充電完了電圧に達した否かの検出を行う。ここで、充電完了が検出されていなければステップ＃３１０へ進み、上記ステップ＃３０１にて開始した充電タイマーが所定時間を経過したか否かの判定を行い、該充電タイマーが所定時間経過していたらステップ＃３１１へ進み、上記ステップ＃３０２にて開始した充電を停止して、次のステップ＃３１２にて、充電ＮＧのフラグを立てて、充電シーケンスを終了する。
【００３９】
一方、上記ステップ＃３１０にて充電タイマーが所定時間を経過していない場合はステップ＃３０２に戻り、充電を継続する。そして、ステップ＃３０３→＃３０４→＃３０７→＃３１０の動作を繰り返し行い、ステップ＃３０７にて制御回路１０３内のコンパレータ１０３ｇに充電電圧分圧回路１１０を介した電圧により充電電圧の充電完了電圧に達したこと検出することが出来たらステップ＃３０８へ進み、上記ステップ＃３０２にて開始した充電を停止し、次のステップ＃３０９にて、充電ＯＫフラグを立てて、充電シーケンスを終了するとともに、図３のメインスイッチのオン時のシーケンスを終了する。
【００４０】
またここで、ステップ＃３０２→＃３０３→＃３０４→＃３０７→＃３１０の動作の繰り返しシーケンスの中で検出することができる、主コンデンサ１０７の充電電圧を検出する充電分圧回路１１０の主コンデンサ１１０への接続、或いは制御回路１０３への接続に異常があった場合を、図２のタイミングチャートをもとに説明する。
【００４１】
その前にまず、充電電圧と二次電流放出時間の関係について、図８を用いて説明する。
【００４２】
あるトランスに所定のエネルギー（一次電流）で蓄積が行われていた時、主コンデンサの充電電圧が２０Ｖ程度の時は、二次電流の放出時間は、図８から約２５μＳであり、充電電圧が５０Ｖでは、二次電流の放出時間は約１０μＳであり、充電電圧が１００Ｖでは、二次電流の放出時間は約５μＳであり、充電電圧が２００Ｖでは、二次電流の放出時間は約３μＳであり、充電電圧が３２０Ｖでは、二次電流の放出時間は約２μＳである、というように充電電圧に対して二次電流放出時間は変化する。この充電電圧と二次電流の放出時間の関係は、トランスの大きさや巻線の巻数によってトランス毎に異なるが、同様の大きさと巻線の巻数であったら、同様の特性となる。
【００４３】
ここで充電完了電圧が、３２０Ｖと仮定すると二次電流の放出時間は２μＳになる。例えば主コンデンサ１０７の充電電圧を検出する充電分圧回路１１０の主コンデンサ１１０への接続、或いは制御回路１０３への接続に断線の異常があり、主コンデンサ１０９の充電電圧が充電完了電圧である３２０Ｖ以上に達したとする。すると、二次電流の放出時間は、図２（ｃ）に示す充電完了電圧の二次電流放出時間の２μＳより更に短くなる。即ち、二次電流放出時間判定ブロック１０３ｆの判定時間（所定時間）を２μＳ以下の例えば、１．５μＳ程度に設定する事により、主コンデンサ１０７の充電電圧を検出する充電分圧回路１１０の主コンデンサ１０７への接続、或いは制御回路１０３への接続に断線の異常を検出することができる。即ち、ステップ＃３０１にて開始した充電タイマーのカウントアップであるステップ＃３１０を待たず、充電の異常を検出することができる。
【００４４】
また、この回路を正常とする二次電流放出時間判定ブロック１０３ｆの判定時間の条件は、トランスの大きさ、巻線の巻数に応じて任意に設定するもので且つ、充電完了時の二次電流放出時間より短い時間である。
【００４５】
このように、二次電流放出時間判定ブロック１０３ｆによる判定を行う事で、二次側の放電ループがオープン状態や、トランス１０４の一次側巻線或いは、二次側巻線がショートした場合、また充電電圧検出部の断線等、夫々の異常を検出することができる。
【００４６】
次に、図７のフローチャートに従って、カメラのレリーズシーケンスについて説明をする。
【００４７】
まずステップ＃２０１にて、レリーズ釦の第１ストロークでオンするスイッチＳＷ１（１１７）の状態を調べ、オンしていなければオンするまでこのステップに留まる。その後、該スイッチＳＷ１がオンするとステップ＃２０２ヘ進み、上記ステップ＃１０２と同様に、電池電圧がカメラ動作が可能であるか否かを検出するためのバッテリーチェック（ＢＣ）を行い、その検出結果を、マイコン１０３ａ内のＲＡＭに記憶する。そして、次のステップ＃２０３にて、上記ステップ＃２０２にて行ったバッテリーチェックの結果から、電池電圧がカメラ動作可能な電圧であるか否かの判定を行い、動作可能電圧であったらステップ＃２０４へ進み、動作が不可能な電圧であったらステップ＃２０１へ戻る。
【００４８】
電池電圧がカメラ動作可能な電圧であるとしてステップ＃２０４へ進むと、測距回路１１２により被写体までの距離を検出し、マイコン１０３ａ内のＲＡＭにその測距結果を記憶する。続くステップ＃２０５では、測光回路１１１により被写体輝度の検出を行い、その結果（測光結果）をマイコン１０３ａ内のＲＡＭに記憶する。
【００４９】
その後はステップ＃２０６へ進み、上記ステップ＃２０５にて得られた測光結果をもとにストロボ発光が必要であるか否かの判定を行う。ストロボ発光が必要な場合としては、撮影状況が暗い、　或いは逆光等がある。ここでストロボ発光が必要である場合はステップ＃２０７へ進み、ストロボ発光が必要でなかったらステップ＃２０９へ進み、スイッチＳＷ２（１１８）のオンの待機状態になる。
【００５０】
上記ステップ＃２０６にてストロボ発光が必要であるとしてステップ＃２０７へ進むと、図４のフローチャートにて示した充電シーケンスを実行する。この充電シーケンスは、前述した通りなのでここではその説明は省略する。その後はステップ＃２０８へ進み、充電が完了がしたか否かの判定をする。この判定は、上記ステップ＃２０７の充電シーケンスにて充電がＯＫになったか否かのフラグより判定し、充電がＯＫであり、充電が完了していたらステップ＃２０９のスイッチＳＷ２（１１８）のオンの待機状態に入る。一方、充電がＮＧであり、充電が完了していなかったらステップ＃２０１へ戻る。
【００５１】
ステップ＃２０９へ進み、スイッチＳＷ２（１１８）のオンの待機状態において、該スイッチＳＷ２がオンしたことを検出するとステップ＃２１０へ進み、上記ステップ＃２０４にて得られた測距結果に従い、レンズ駆動装置１１３により撮影レンズの駆動制御を行う。そして、次のステップ＃２１１にて、上記ステップ＃２０５にて得られた測光結果より、ストロボ発光が必要であったら制御回路１０３からのトリガー信号を受けてトリガ回路１０８が発光信号を出力し、ストロボ発光を行う。又これと同時に、シャッタ駆動装置１１４によるシャッタ駆動制御を行う。次にステップ＃２１２では、合焦位置にあるレンズを該レンズの初期位置に戻すレンズリセットを行う。
【００５２】
続くステップ＃２１３では、フィルム駆動装置１１５により次の撮影駒へのフィルム給送制御を行い、次のステップ＃２１４にて、ストロボ予備充電を行うか否かの判定を行う。ここで、ストロボ予備充電を行わない場合とは、上記ステップ＃２０５にて行った測光結果をもとに上記ステップ＃２０６にて判定した結果がフラッシュモードでない場合である。この場合はステップ＃２０１へ戻る。
【００５３】
また、ストロボ予備充電を行う場合はステップ＃２１４からステップ＃２１５へ進み、図４のフローチャートにて前述した充電シーケンスを実行する。その後はステップ＃２０１へ戻る。
【００５４】
以上の実施の形態によれば、主コンデンサ１０７に充電を行うフライバック式ＤＣ／ＤＣコンバータを有し、該ＤＣ／ＤＣコンバータのトランス１０４の一次巻線に電流駆動を行うＦＥＴ１０５と、該ＦＥＴ１０５の電流の駆動停止により発生する二次巻線に流れる電流を検出するマイコン１０３ａと、前記ＦＥＴ１０５の一次巻線への電流の駆動停止から二次電流が所定電流まで低下する時間をが所定時間以上であるかの判定を行う二次電流放出時間判定ブロック１０３ｆとを有し、前記二次電流放出時間判定ブロック１０３ｆの計時結果から回路の異常を検出行うようにしている。
【００５５】
詳しくは、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった状態、或いは充電電圧検出部の断線等の回路異常が発生し、二次電流放出時間が所定時間より短い（もしくは二次電流が停止（消失）して検出されない場合も同様である）場合は、回路の異常であると判定するようにしている。
【００５６】
そして、放電ループがオープン状態、或いはトランス１０４の一次側巻線、或いは二次側巻線のショートといった回路の異常では、この二次電流放出時間の結果は、一次巻線への一発目の電流駆動時に検出可能であり、従来のように一定の時間を待つことなく、又特別な回路を付加することなく、充電開始から極めて早いタイミングで回路の異常を検出できる。
【００５７】
また、充電電圧検出部の断線等の回路異常では、充電タイマーのタイマー時間を待つことなく、早いタイミングで回路の異常を検出することができる。
【００５８】
なお、上記実施の形態によれば、制御回路１０３によるフライバック式ＤＣ／ＤＣコンバータの他励制御による昇圧方式であったが、昇圧方式は、他励制御に限るものでは無く、自励制御によるフライバック式ＤＣ／ＤＣコンバータの昇圧方式でも、二次電流を検出するような構成にすることにより、同様に回路トラブル検出が可能であることは言うまでもない。
【００５９】
更に言えば、他励制御における一次電流駆動方式においても、一次電流が所定電流に達したことにより一次電流の駆動を停止する、電流検出タイプに限るものでは無く、一次電流を所定時間駆動を行う、所定時間駆動タイプでも可能であることは言うまでも無い。
【００６０】
【発明の効果】
以上説明したように、本発明によれば、部品点数を増加させることなく、回路の異常検出を速やかに行ったり、正常に行われない充電動作を直ちに停止することができるコンデンサ充電装置又はカメラのストロボ充電装置を提供できるものである。
【図面の簡単な説明】
【図１】本発明の実施の一形態に係るカメラの回路構成を示すブロック図である。
【図２】本発明の実施の一形態において正常時の昇圧回路のタイミングチャートである。
【図３】本発明の実施の一形態に係るカメラの動作を示すフローチャートである。
【図４】本発明の実施の一形態に係る充電中の動作を示すフローチャートである。
【図５】本発明の実施の一形態において異常時の昇圧回路のタイミングチャートである。
【図６】同じく異常時の昇圧回路のタイミングチャートである。
【図７】本発明の実施の一形態に係るカメラの他の動作の示すフローチャートである。
【図８】本発明の実施の一形態に係る充電電圧と二次電流放出時間の関係を示す図である。
【符号の説明】
１０１　　　電源電池
１０２　　　コンデンサ
１０３　　　制御回路
１０３ａ　　マイコン
１０４　　　トランス
１０５　　　ＦＥＴ
１０６　　　高圧整流ダイオード
１０７　　　主コンデンサ
１０８　　　トリガー回路
１０９　　　放電管
１１０　　　充電電圧検出回路
１１１　　　測光回路
１１２　　　測距回路
１１３　　　レンズ駆動装置
１１４　　　シャッタ駆動装置
１１５　　　フィルム駆動装置
１１９　　　抵抗
１２０　　　トランジスタ
１２１　　　抵抗
１２２　　　抵抗
１２３　　　抵抗
【図１】
2004071428.tif 000003
【図２】
2004071428.tif 000004
【図３】
2004071428.tif 000005
【図４】
2004071428.tif 000006
【図５】
2004071428.tif 000007
【図６】
2004071428.tif 000008
【図７】
2004071428.tif 000009
【図８】
2004071428.tif 000010